(57)【要約】      （修正有）【課題】ランプ支持部材に適用し且つ様々な色彩の光斑を表すことができるＬＥＤ照明器具を提供する。【解決手段】ＬＥＤ照明器具１０１は、器具本体２０と、器具本体に取り外し可能に設置されたランプホルダー３０と、を備える。前記器具本体は、エンベロープ２１と、蓋体２２と、ＬＥＤ器具板２３１と、前記ＬＥＤ器具板に設置されたＬＥＤ素子２４１と、ＬＥＤ駆動器２５と、及び固定装置と、を備える。前記エンベロープ、前記ＬＥＤ駆動器及び前記ＬＥＤ器具板は、前記固定装置に設置される。前記ＬＥＤ駆動器と前記ランプホルダーとは、それぞれ電気的に接続された後、前記ＬＥＤ素子を駆動して発光させる。前記蓋体は、透明のハウジングであり、表面には、区域が形成される。前記ＬＥＤ素子は、前記蓋体に向けて配列され、前記ＬＥＤ素子が発光すると、蓋体の表面に複数の区域に対応して複数の光斑が形成される。【選択図】図２
0003182135.tif 000002
【実用新案登録請求の範囲】
【請求項１】
器具本体と、器具本体に取り外し可能に設置されたランプホルダーと、を備え、
前記器具本体は、エンベロープと、蓋体と、ＬＥＤ器具板と、前記ＬＥＤ器具板に設置されたＬＥＤ素子と、ＬＥＤ駆動器と、固定装置と、を備え；
前記エンベロープ、前記ＬＥＤ駆動器及び前記ＬＥＤ器具板は、前記固定装置に設置され；
前記ＬＥＤ駆動器と前記ランプホルダーとは、それぞれ電気的に接続された後、前記ＬＥＤ素子を駆動して発光させ；
前記蓋体は、透明のハウジングであり、表面には、区域が形成され；
前記ＬＥＤ素子は、前記蓋体に向けて配列され、前記ＬＥＤ素子が発光すると、蓋体の表面に複数の区域に対応して複数の光斑が形成されることを特徴とするＬＥＤ照明器具。
【請求項２】
前記蓋体に向けて配列された前記ＬＥＤ素子は、予め設定された組で特定の規則或いは不規則な形状で配列されており、前記蓋体と前記ＬＥＤ器具板との間に位置し、
各組ＬＥＤ素子の光線経路には、各組の前記ＬＥＤ素子に対してそれぞれ導光装置或いはレンズが設置され、
前記導光装置或いは前記レンズが接続される部分には、共に複数の区域を形成する規則或いは不規則な図案が形成され、
前記各組のＬＥＤ素子が射出した光は、対応する導光装置或いはレンズによって、直接に前記蓋体の対応する特定区域を透過し、前記ＬＥＤ照明器具の発光面に複数のカラーの光斑を形成することを特徴とする請求項１に記載のＬＥＤ照明器具。
【請求項３】
前記固定装置は、円環状の固定部と、前記固定部の周辺から延伸して形成され且つ間隔をあけて設置された複数の係止部と、を備え、
前記固定部には、複数の取り付け孔が設けられ、複数のネジによって、前記エンベロープと前記ＬＥＤ駆動器とを固定装置に固定し、
前記複数の係止部には、取り付け孔が設けられ、それぞれネジによって、前記ＬＥＤ器具板を前記固定装置に固定することを特徴とする請求項１または２に記載のＬＥＤ照明器具。
【考案の詳細な説明】
【技術分野】
【０００１】
本考案は、ＬＥＤ照明器具に関するものである。
【背景技術】
【０００２】
現在、ＬＥＤは新しい光源として白熱電球に替わって多くの照明器具に使用されている。しかし、白熱電球は既に長年使用されていることから、固定するためのランプの支持部材は社会に広まっている。従って、ＬＥＤ光源を使用したい場合、そのＬＥＤ光源に合うランプ支持部材を別に準備しなければならない。また、ＬＥＤ照明器具が現在用いられているランプ支持部材に適用したとしても、その応用範囲は広いため、様々な図案を表すことできないので、不便である。
【考案の概要】
【考案が解決しようとする課題】
【０００３】
以上の問題点に鑑みて、本考案は、従来のランプ支持部材に適用し且つ様々な色彩の光斑を表すことができるＬＥＤ照明器具を提供することを目的とする。
【課題を解決するための手段】
【０００４】
本考案は、ＬＥＤ照明器具において、器具本体と、器具本体に取り外し可能に設置されたランプホルダーと、を備え、前記器具本体は、エンベロープと、蓋体と、ＬＥＤ器具板と、前記ＬＥＤ器具板に設置されたＬＥＤ素子と、ＬＥＤ駆動器と、固定装置と、を備え；前記エンベロープ、前記ＬＥＤ駆動器及び前記ＬＥＤ器具板は、前記固定装置に設置され；前記ＬＥＤ駆動器と前記ランプホルダーとは、それぞれ電気的に接続された後、前記ＬＥＤ素子を駆動して発光させ；前記蓋体は、透明のハウジングであり、表面には、区域が形成され；前記ＬＥＤ素子は、前記蓋体に向けて配列され、前記ＬＥＤ素子が発光すると、蓋体の表面に複数の区域に対応して複数の光斑が形成される。
【考案の効果】
【０００５】
本考案のフラットなＬＥＤ照明灯は、ランプホルダーを取り替えることができ、器具本体は、異なるランプホルダーに設置することができるため、ＬＥＤ照明器具を様々なランプに通用することができる。従って、従来のランプ支持部材及び給電システムを変える必要がなくなる。また、ランプホルダーが壊れた際は、直接にランプホルダーを取り替えることができ、ＬＥＤ照明器具全体を取り替えなくて良い。透明の蓋体は、ＬＥＤ素子の配列形状を表して、ＬＥＤ照明器具の美感を増加させ、直接に駆動させることでＬＥＤ照明器具の表面に色彩の光斑が表すことができるため、ＬＥＤ照明器具は、さらに照明の装飾の要求を満足し豊かな視覚を与えることができる。
【図面の簡単な説明】
【０００６】
【図１】本考案の第一実施形態のＬＥＤ照明器具を示す側面図である。
【図２】図１に示したＬＥＤ照明器具を示す部分断面図である。
【図３】図２に示したＬＥＤ照明器具の固定装置を示す斜視図である。
【図４】図２に示したＬＥＤ照明器具の発光面を示す図である。
【図５】本考案の第二実施形態のＬＥＤ照明器具を示す部分断面図である。
【図６】本考案の第三実施形態のＬＥＤ照明器具を示す部分断面図である。
【図７】図６に示したＬＥＤ照明器具の固定装置を示す斜視図である。
【図８】本考案の第四実施形態のＬＥＤ照明器具の発光面を示す図である。
【図９】図８に示したＬＥＤ照明器具を示す部分断面図である。
【図１０】図８に示したＬＥＤ照明器具を別の視覚から見た断面図である。
【図１１】本考案の第五実施形態のＬＥＤ照明器具を示す斜視図である。
【考案を実施するための形態】
【０００７】
以下、図面に基づいて、本考案に係るＬＥＤ照明器具について詳細に説明する。
【０００８】
図１に示したように、本考案に係るＬＥＤ照明器具１０１は、フラットな照明であり、器具本体２０と、器具本体２０に取り外し可能に設置されたランプホルダー３０と、を備える。本考案の実施形態において、ランプホルダー３０には、ネジ部３０１が設けられ、ネジ部３０１の頂部には、第一電気接触点３０２が設けられ、ネジ部３０１の周辺には、第二電気接触点が設けられる。第一電気接触点３０２及び第二電気接触点は、それぞれＬＥＤ照明器具１０１の電源の正極及び陰極との入力端を形成する。ＬＥＤ照明器具１０１は、ランプホルダー３０によって、照明器具のランプ支持部材（図示せず）に固定された後、外部の高圧交流電源がＬＥＤ照明器具１０１に流れ込む。本考案の実施形態において、ランプホルダー３０はＥ２７或いはＥ２６標準のランプホルダーである。
【０００９】
図２に示したように、ランプホルダー３０と器具本体２０とは、複数のネジ４１によって固定される。他の実施形態において、ランプホルダー３０と器具本体２０とは、螺合接続しても良い。器具本体２０は、エンベロープ２１と、蓋体２２と、ＬＥＤ器具板２３１と、ＬＥＤ器具板２３１に設置されたＬＥＤ素子２４１と、ＬＥＤ駆動器２５と、固定装置２６と、を備える。エンベロープ２１、ＬＥＤ駆動器２５及びＬＥＤ器具板２３１は、固定装置２６に設置される。蓋体２２とエンベロープ２１とは、螺合接続或いは係止接続される。
【００１０】
図３に示したように、本考案の実施形態において、固定装置２６は、円環状の固定部２６１と、固定部２６１の周辺からに延伸して形成され且つ間隔をあけて設置された複数の係止部２６２と、を備える。固定部２６１には、複数の取り付け孔が設けられ、複数のネジ４２によって、エンベロープ２１及びＬＥＤ駆動器２５を固定装置２６に固定する。また、複数の係止部２６２には、取り付け孔が設けられ、ネジ４３によってＬＥＤ器具板２３１を固定装置２６に固定する。
【００１１】
ＬＥＤ駆動器２５の電圧入力端（図示せず）とランプホルダー３０とは、電気的に接続され、電圧出力端（図示せず）とＬＥＤ器具板２３１とは、電気的に接続されて、外部の高圧交流電源は、ＬＥＤ素子２４１が必要とする低圧直流電源に変換され、低圧直流電源は、直接にＬＥＤ素子２４１を駆動して発光させる。
【００１２】
本考案の実施形態において、ＬＥＤ素子２４１は、蓋体２２に向けて分配される。図４に示したように、蓋体２２は、透明のハウジングであり、蓋体２２に向けて分配されたＬＥＤ素子２４１は、色彩を選択することができる発光ダイオードであり、且つ予め設定された配列で設置されて特定の図案を形成する。特定の図案は、例えば、花、動物、星などの形状の図案であり、また、ＬＥＤ素子２４１は、透明の蓋体２２から透過される。ＬＥＤ照明器具１０１が通電すると、ＬＥＤ駆動器２５は、ＬＥＤ素子２４１を駆動して発光させた後、透明の蓋体２２から透過させることで、ＬＥＤ素子２４１の色及び配列形状が透過する。これにより、照明の装飾の要求を満足し豊かな視覚を与えることができる。
【００１３】
他の実施形態において、ＬＥＤ素子２４１は予め設定されたとおりに配列されて複数の組を構成し且つ異なる特定の図案を表す。ユーザーは、ＬＥＤ駆動器２５（例えば、ＬＥＤ駆動器２５にプログラムを組み込むこと）によって、選択的にある組のＬＥＤ素子２４１を駆動して、特定の図案を表す、或いは、時間差で各組ＬＥＤ素子２４１を駆動して、異なる特定の図案を時間差で交換して表す。つまり、時間或いは異なる場所によって、光の色を取り替えることができる。
【００１４】
図５に示したように、本考案の第二実施形態のＬＥＤ照明器具１０２の構造は、第一実施形態のＬＥＤ照明器具１０１の構造とほぼ同じであるが、異なる部分は、ＬＥＤ照明器具１０２は、エンベロープ２１に向けて、ＬＥＤ素子２４２を配列し、エンベロープ２１は、透明或いは半透明であるハウジングであるので、ＬＥＤ照明器具１０２が、二つの方向に向かって発光することでＬＥＤ照明器具１０２の頂上において暗い部分を無くすことができることである。
【００１５】
図６に示したように、本考案の第三実施形態のＬＥＤ照明器具１０３の構造は、第一実施形態のＬＥＤ照明器具１０１の構造とほぼ同じであるが、異なる部分は、固定装置２６’が、階段状であり、且つ固定部２６１’、第一取り付け部２６３’ 及び第二取り付け部２６４’を備え、ＬＥＤ器具板２３２、２３３は、それぞれ第一取り付け部２６３’第二取り付け部２６４’の外側に設置されて、ＬＥＤ器具板２３２、２３３に設置されたＬＥＤ素子２４３は、固定装置２６’の側面に設置され且つエンベロープ２１に向けて光線２４３１を放射することである。エンベロープ２１の内壁は、反射面であり光線を反射することができる。本考案の第三実施形態において、エンベロープ２１は高反射率の材料によって製造される或いはエンベロープ２１の内壁に高反射率の膜が塗られ、入光した光線２４３１は、エンベロープ２１の内壁によって反射して蓋体２２に入射した後、蓋体２２を透過して外部に射出される。
【００１６】
図７に示したように、第三実施形態では、固定部２６１’、第一取り付け部２６３’及び第二取り付け部２６４’は、同心円環であり、固定部２６１’と第一取り付け部２６３’とは、一体成形され、固定装置２６’は、第一取り付け部２６３’の外側から延伸して形成され、且つ間隔をあけて配列した複数の支持部材２６５’が設けられ、第二取り付け部２６４’は、複数の支持部材２６５’によって第一取り付け部２６３’に接続される。
【００１７】
図８に示したように、第四実施形態では、蓋体２２の表面には、規則或いは不規則な形状の複数の区域２２１が形成され、蓋体２２に配列したＬＥＤ素子２４４が発光する際、蓋体２２の表面には、複数の区域２２１に対応して、複数の規則的な或いは不規則的な光斑ができる。
【００１８】
本考案の実施形態において、蓋体２２の表面には、特定の規則或いは不規則な図案２２２がエッチングされ、該特定の規則的に或いは不規則的にエッチングされた図案２２２は、共に複数の区域２２１を形成し、また各区域２２１は、各区域２２１に膜を貼ることによって色彩区域を形成する。他の実施形態において、蓋体２２は、複数の規則或いは不規則なガラスを互いに接続することによって複数の色彩区域を形成する。使用する際、ＬＥＤ駆動器２５は、直接にＬＥＤ照明器具１０４を駆動して白光を射出し、該白光は、蓋体２２の射出面の色彩の光斑から透過される。
【００１９】
他の実施形態において、蓋体２２に向けて配列したＬＥＤ素子２４４は、予め設定された組において特定の規則或いは不規則な形状で配列し、各組は特定の色彩のカラーＬＥＤ素子であり、各組ＬＥＤ素子２４４は通電された後に特定の色の光を射出し、射出した後は透明の蓋体２２によって、ＬＥＤ発光素子が現れる。他の実施形態において、蓋体２２に向けて配列したＬＥＤ素子２４４は、予め設定された組で特定な規則或いは不規則な形状で配列されており、且つ蓋体２２とＬＥＤ器具板２３４との間に位置し、各組ＬＥＤ素子２４４の光線経路には、各組ＬＥＤ素子２４４に対してそれぞれ導光装置２７（図９参照）或いはレンズ２８（図１０参照）が設置され、導光装置２７或いはレンズ２８が接続する部分には、規則或いは不規則な図案２２２が形成されており、規則或いは不規則な図案２２２は、共に複数の区域２２１を形成する。使用する際、ＬＥＤ駆動器２５は、それぞれ直接に各組ＬＥＤ素子２４４を駆動して、対応する色の光を射出し、各組ＬＥＤ素子２４４から射出された光は、対応する導光装置２７或いはレンズ２８によって直接に蓋体２２の対応する特定の区域２２１を透過して、ＬＥＤ照明器具１０４の発光面に複数のカラーの光斑に形成する。
【００２０】
使用する際、ＬＥＤ駆動器２５は、それぞれ直接に各組ＬＥＤ素子２４４を駆動して、対応する色の光を放射させ、該放射された光は、対応する導光装置２７或いはレンズ２８によって反射されて、蓋体２２の対応する特定区域２２１に射出されるので、ＬＥＤ照明器具１０４の発光面には、複数のカラーの光斑が形成される。ＬＥＤ素子２４４は、カラーの発光ダイオードであり、各組ＬＥＤ素子２４４は、少なくとも一つのＬＥＤ素子２４４を備える。従って、複数のＬＥＤ駆動回路を設置せずとも、一つのＬＥＤ駆動回路によってＬＥＤ照明灯が複数の色彩斑の效果を表すことができるので、ＬＥＤ素子２４４の配置或いはＬＥＤ照明器具１０４のエンベロープ２１の変化によって、ＬＥＤ照明器具１０４は複数の色彩斑の效果を表すことができる。
【００２１】
図１１に示したように、第五実施形態のＬＥＤ照明器具１０５の構造は、第一実施形態のＬＥＤ照明器具１０１の構造とほぼ同じであるが、異なる部分は、ＬＥＤ照明器具１０５のランプホルダー３０’がフラットな照明であり、例えばＧＸ５３ランプホルダーを採用することである。また、他の実施形態において、ランプホルダー３０’は、差込型或いは他の通用するランプホルダーである。
【００２２】
本考案のフラットなＬＥＤ照明灯は、ランプホルダーを取り替えることができ、器具本体は、異なるランプホルダーに設置することができるため、ＬＥＤ照明器具は様々なランプに通用することができる。従って、従来のランプ支持部材と、及び給電システムとを変えなくても良い。また、ランプホルダーが壊れた際は、直接にランプホルダーを取り替えることができ、全体のＬＥＤ照明器具を取り替えなくて良い。透明の蓋体は、ＬＥＤ素子の配列した形状を表して、ＬＥＤ照明器具の美感を増加させ、直接に駆動させることでＬＥＤ照明器具の表面に色彩の光斑が表すことができるため、ＬＥＤ照明器具は、さらに照明の装飾の要求を満足し豊かな視覚を与えることができる。
【符号の説明】
【００２３】
１０１、１０２、１０３、１０４，１０５    ＬＥＤ照明器具
２０      器具本体
３０、３０’      ランプホルダー
２１      エンベロープ
２２      蓋体
２５      ＬＥＤ駆動器
２６、２６’  固定装置
２７      導光装置
２８      レンズ
２２１    区域
２２２    図案
２３１、２３２、２３３、２３４      ＬＥＤ器具板
２４１、２４２、２４３、２４４      ＬＥＤ素子
２６１、２６１’  固定部
２６２    係止部
２６３’  第一取付部
２６４’  第二取付部
２６５’  支持部材
３０１    ネジ部
３０２    第一電気接触点
４１、４２、４３    ネジ
２４３１    光
【図１】
0003182135.tif 000003
【図２】
0003182135.tif 000004
【図３】
0003182135.tif 000005
【図４】
0003182135.tif 000006
【図５】
0003182135.tif 000007
【図６】
0003182135.tif 000008
【図７】
0003182135.tif 000009
【図８】
0003182135.tif 000010
【図９】
0003182135.tif 000011
【図１０】
0003182135.tif 000012
【図１１】
0003182135.tif 000013